【事件の表示】
　特願２００３−３３７８５５「ガス濃度測定装置」拒絶査定不服審判事件〔平成１７年　４月２１日出願公開、特開２００５−１０６５２１〕について、次のとおり審決する。
【結　論】
　本件審判の請求は、成り立たない。
【理　由】
１．手続の経緯
　本願は，平成１５年９月２９日の出願であって，平成１８年９月８日付けで拒絶査定がされ，これに対し，同年１０月１９日に拒絶査定不服審判の請求がされるとともに，同年１１月１５日付けで手続補正がなされた。
　その後，当審において平成２０年７月２４日付けで拒絶理由が通知され，これに対し，同年９月２９日に意見書及び手続補正書が提出された。　 
　
２．本願発明
　本願の請求項１に係る発明は，平成２０年９月２９日付け手続補正書で補正された特許請求の範囲の請求項１に記載された事項により特定されるとおりのものであると認められるところ，請求項１に係る発明は次のとおりである。（以下，請求項１に係る発明を「本願発明」という。）
　
「【請求項１】
有底筒形状の本体（５）と，
　ガス吸収線に周波数安定化された，半導体レーザ（１１ｃ）からの測定光を，測定雰囲気に出射する半導体レーザユニット（４）と，
　中央に窓部（８）を有して前記本体の開口（５ａ）に設置され，前記半導体レーザユニットからの測定光の出射に伴って測定雰囲気から反射してくる反射測定光を受けて集光する集光手段（７）と，
　前記本体（５）内であって，かつ前記窓部の中心軸線（Ｌ−Ｌ）上近傍に配置され，前記集光手段によって集光される前記反射測定光を受光する受光器（９）と，
　前記集光手段で集光されて前記受光器により受光した前記反射測定光を電気信号に変換して，当該電気信号から前記半導体レーザの変調周波数の基本波位相敏感検波信号および２倍波位相敏感検波信号を検出し，両者の信号の比に基づいて前記測定雰囲気のガス濃度を測定する計測部（３ａ，３ｂ，３ｃ）とを，前記本体内に一体に備えたガス濃度測定装置であって，
　前記半導体レーザユニットは，前記半導体レーザおよび濃度測定対象ガスと同じ種類のガスを封入したガスセルを備え，
　ガス吸収線に対応した各々異なる波長のレーザ光を前記各測定光として出射する複数の半導体レーザモジュール（１１）と，
　前記測定雰囲気に前記測定光を導くためのガイド光として可視光を出射する半導体レーザ（１２ｂ）が前記窓部の中心軸線上に位置して前記本体内に配置されるレーザポインタ（１２）と，
　複数の前記測定光のうち，所定の測定光を反射させる反射ミラー（２１）を備えた合分波手段（１３）であり，前記所定の測定光と，複数の前記測定光のうちの前記所定の測定光以外の測定光とを略同軸上に合波するとともに，前記所定の測定光と前記可視光とを略同軸上に合波する合分波手段（１３）とを備えたことを特徴とするガス濃度測定装置。」
　
３．引用例
　
３−１．引用文献１
　当審において通知した拒絶理由に引用した，本願の出願日前に頒布された刊行物である，特開２００１−２３５４１８号公報（以下，「引用文献１」という。）には，次の事項が記載されている（下線は当審にて付加した）。
　
（ア）「【０００１】
【発明の属する技術分野】
本発明は，半導体レーザを光源とし，光の吸収を利用して光学的にガス濃度を測定
ガス濃度測定装置に関する
　
（イ）「【００１０】
【発明の実施の形態】本発明によるガス濃度測定装置は，半導体レーザを光源とし，光の吸収を利用して光学的にガス濃度を測定して例えば都市ガス，化学プラント等のガス漏洩を検出するにあたり，測定系を乱すことなくガス濃度測定時や測定システム構築時等必要に応じてガス濃度の校正が行えるものである。
【００１１】
図１は本発明によるガス濃度測定装置の実施の形態を示し，反射型のガス濃度測定装置の全体構成図
【００１２】
図１に示すガス濃度測定装置１は，光源ユニット２，測定光集光部３
受信信号検出部５
から概略構成される
【００１３】
光源ユニット２は，測定ガス特有の吸収線に合致した波長のレーザ光を発生するものであり，図２および図３に示すように，金属パッケージからなる箱型形状のケース本体の内部に，半導体レーザモジュール２１Ａ（２１），参照ガスセル２２，フォト検出器（受光部）２３が収容されている
【００１４】半導体レーザモジュール２１Ａのケース内には，周波数変調されたレーザ光を両面から出射する半導体レーザ（レーザダイオード）２４が配設されている。
ケース２１ａからはコネクタ２５ａを備えた光ケーブル２５が延出されており，半導体レーザ２４から出射される一方の光が光ケーブル２５を介して測定光集光部３より外部（測定対象ガスの雰囲気）に出射される
・・・
【００２２】
測定光集光部３は，光源ユニット２の半導体レーザ２４からの光を外部に出射し，測定対象となるガス配管などから反射した測定光をレンズ３１で集光し，この集光した光をフォト検出器３２で受光検出して電気信号に変換している
【００２３】測定光増幅部４は，プリアンプで構成され，測定光集光部３で検出した測定光信号を所定の増幅度で増幅している。この測定光増幅部４では，測定光集光部３のフォト検出器３２で検出した光電流を電圧に変換し，増幅して出力する。また，測定光増幅部４は，受信信号検出部５で検出する基本波位相敏感検波信号（ｆ信号：以下，基本波信号と略称する），２倍波位相敏感検波信号（２ｆ信号：以下，２倍波信号と略称する）が同じような検出レベルになるように，増幅度が基本波信号，２倍波信号それぞれ最適増幅度に設定されている。
【００２４】
受信信号検出部５は
測定光増幅部４で増幅された測定光信号を信号処理し，基本波信号（ｆ信号），２倍波信号（２ｆ信号），２ｆ／ｆ信号を検出している
　
（ウ）「【００４３】
演算部１３は
受信信号検出部５からの基本波信号（ｆ信号），２倍波信号（２ｆ信号）を入力とし，その比に基づいて測定対象ガスのガス濃度を演算している
　
（エ）「【００５６】
図１０〜図１２は本例のガス濃度測定装置に適用できる透過型の半導体レーザモジュール（光源部）の構成例を示している
・・・
【００６３】次に，
図１２に示す半導体レーザモジュール２１Ｄ（２１）は，上面側が開口した箱型形状のケース本体５１の内部に，各部品（
半導体レーザ２４
参照ガスセル２２
を収容したものである
【００６４】なお，ケース本体５１に収容される内部構成については，前述した図１０および図１１の半導体レーザモジュール２１Ｂ，２１Ｃと同一なので，その構成部品には同一番号を付し，詳細な説明については省略している。」
　
（オ）また，「本発明によるガス濃度測定装置の全体構成図」である図１を参照すると，測定光集光部３は有底筒形状をしており，その開口部にレンズ３１が配置されており，該レンズ３１で集光された光を受光する前記測定光集光部３のほぼ中心軸線上にフォト検出器３２が配置され，該レンズ３１の中央からレーザ光が外部に放射されるように構成されていることが認められる。
　
　以上の記載を総合すると，引用文献１には，
「有底筒形状の測定光集光部３と，
測定ガス特有の吸収線に合致した波長のレーザ光を発生し，半導体レーザ（レーザダイオード）２４からの光が，測定光集光部３のレンズ３１の中央から外部（測定対象ガスの雰囲気）に出射される光源ユニット２と，
前記測定光集光部３の開口部に配置され，光源ユニット２の半導体レーザ２４からの光を外部に出射し，測定対象となるガス配管などから反射した測定光を集光するレンズ３１と，
前記測定光集光部３のほぼ中心軸線上に配置され，レンズ３１で集光した光を受光検出して電気信号に変換するフォト検出器３２と，
測定光信号を信号処理し，基本波信号（ｆ信号），２倍波信号（２ｆ信号），２ｆ／ｆ信号を検出する受信信号検出部５及び該受信信号検出部５からの基本波信号（ｆ信号），２倍波信号（２ｆ信号）を入力とし，その比に基づいて測定対象ガスのガス濃度を演算する演算部１３とを備え，
　光源部の半導体モジュール２１Ｄ（２１）として，ケース本体５１の内部に，半導体レーザ２４及び参照ガスセル２２を収容している，
ガス濃度測定装置。」の発明（以下，「引用文献１に記載された発明」という。）が記載されているものと認められる。
　
３−２．引用文献２
　当審において通知した拒絶理由に引用した，本願の出願日前に頒布された刊行物である，特開２００３−２５４８５６号公報（以下，「引用文献２」という。）には，次の事項が記載されている（下線は当審にて付加した）。
　
（カ）「【０００１】
【発明の属する技術分野】
本発明は，レーザー光を用いた光学式ガス漏洩検知器
 
（キ）「【００１１】本発明において，前記シート状に変換された
レーザー光が赤外光の場合，標的上に目視確認可能な像を形成させる可視光のレーザーポインターを備えて，ガス漏洩検知器の非測定物への出射を容易かつ正確にする
　
（ク）「【００１４】
【発明の実施の形態】図１に，本発明の光学式ガス漏洩検知器を模式的に示す。レーザー１が出射した赤外レーザー光は，光ファイバー２によってファイバーコリメーター３で赤外レーザビームになる。赤外レーザビームはレーザーラインジェネレーター４によってシート状レーザービームに変換され，図外の検査標的に向かって出射される。これら
レーザー１，光ファイバー２，ファイバーコリメーター３，レーザーラインジェネレーター４は，本発明のレーザー発振モジュールを構成する。グリーンレーザー５から出射されたレーザーポインター用の緑色レーザー光は，ミラー６および波長選択ミラー７で反射し，上記の赤外レーザーと同一の光路を通って検査標的に合わせて出射される
【００１５】
検査標的より反射された赤外レーザー光は，集光レンズ系８により受光素子９に結像し，その強度が測定される。集光レンズ系８及び受光素子９は本発明の受光部を構成する。これらレーザー発振モジュール５，レーザーポインター，及び受光部などは筐体１０に収められ，携帯容易な構成となっている
　
　以上の記載を総合すると，引用文献２には，
「赤外レーザー光を発するレーザー発振モジュール及びグリーンレーザー５を備え，グリーンレーザー５から出射されたレーザーポインター用の緑色レーザー光は，ミラー６および波長選択ミラー７で反射し，上記の赤外レーザーと同一の光路を通って検査標的に合わせて出射され，
検査標的より反射された赤外レーザー光は，集光レンズ系８により受光素子９に結像し，その強度が測定され，
これらレーザー発振モジュール５，レーザーポインター，及び受光部などは筐体１０に収められ，携帯容易な構成となっている，光学式ガス漏洩検知器。」の発明（以下，「引用文献２に記載された発明」という。）が記載されているものと認められる。
　
４．本願発明について
４−１．対比
　本願発明と，引用文献１に記載された発明とを対比する。
  引用文献１に記載された発明の「測定光集光部３」は，その開口部に測定光を集光するレンズ３１及び該レンズ３１で集光した光を受光検出して電気信号に変換するフォト検出器３２を備え，有底筒形状をしているものであるから，本願発明の「本体（５）」に相当する。
　また，引用文献１に記載された発明の「光源ユニット２」は，測定ガス特有の吸収線に合致した波長のレーザ光を発生し，半導体レーザ（レーザダイオード）２４からの光が外部（測定対象ガスの雰囲気）に出射されるものであるから，本願発明の「半導体レーザユニット（４）」に相当する。
　さらに，引用文献１に記載された発明の「レンズ３１」は，測定光集光部３の開口部に配置され，測定対象となるガス配管などから反射した測定光を集光するものであって，その中央部では，半導体レーザ（レーザダイオード）２４からの光を外部に出射するように為しているものであって，この開口部の中央部は本願発明の「窓部」に相当するものであるから，引用文献１に記載された発明の「レンズ３１」は，本願発明の「集光手段（７）」に相当する。
　また，引用文献１に記載された発明の「フォト検出器３２」は，測定光集光部３のほぼ中心軸線上に配置され，レンズ３１で集光した光を受光検出するものであるから，本願発明の「受光器（９）」に相当する。
　そして，引用文献１に記載された発明の「受信信号検出部５及び演算部１３」は，測定光信号を信号処理し，基本波信号（ｆ信号），２倍波信号（２ｆ信号）を検出し，その比に基づいて測定対象ガスのガス濃度を演算するものであるから，本願発明の「計測部（３ａ，３ｂ，３ｃ）」に相当する。
　また，引用文献１に記載された発明の「半導体モジュール２１Ｄ（２１）」は，半導体レーザ２４及び参照ガスセル２２を収容しているのであるから，本願発明の「前記半導体レーザユニットは，前記半導体レーザおよび濃度測定対象ガスと同じ種類のガスを封入したガスセルを備え，ガス吸収線に対応した各々異なる波長のレーザ光を前記各測定光として出射する複数の半導体レーザモジュール（１１）」と，「前記半導体レーザユニットは，前記半導体レーザおよび濃度測定対象ガスと同じ種類のガスを封入したガスセルを備えて前記本体内に配置される半導体レーザモジュール（１１）」である点で共通している。
　そうすると，本願発明と，引用文献１に記載された発明とは，
「有底筒形状の本体（５）と，
　ガス吸収線に周波数安定化された，半導体レーザ（１１ｃ）からの測定光を，測定雰囲気に出射する半導体レーザユニット（４）と，
　中央に窓部（８）を有して前記本体の開口（５ａ）に設置され，前記半導体レーザユニットからの測定光の出射に伴って測定雰囲気から反射してくる反射測定光を受けて集光する集光手段（７）と，
　前記本体（５）内であって，かつ前記窓部の中心軸線（Ｌ−Ｌ）上近傍に配置され，前記集光手段によって集光される前記反射測定光を受光する受光器（９）と，
　前記集光手段で集光されて前記受光器により受光した前記反射測定光を電気信号に変換して，当該電気信号から前記半導体レーザの変調周波数の基本波位相敏感検波信号および２倍波位相敏感検波信号を検出し，両者の信号の比に基づいて前記測定雰囲気のガス濃度を測定する計測部（３ａ，３ｂ，３ｃ）とを，備えたガス濃度測定装置であって，
　前記半導体レーザユニットは，前記半導体レーザおよび濃度測定対象ガスと同じ種類のガスを封入したガスセルを備えて前記本体内に配置される半導体レーザモジュール（１１）とを備えた，ガス濃度測定装置。」
である点で一致しており，次の点で相違する。
　
（相違点１）
　本願発明では，「半導体レーザユニット（４）」，「集光手段（７）」，「受光器（９）」及び「計測部（３ａ，３ｂ，３ｃ）」を「前記本体内に一体に」備えているのに対し，引用文献１に記載された発明では，「測定光集光部３」には，「レンズ３１」及び「フォト検出器３２」のみが一体に設けられ，「光源ユニット２」及び「受信信号検出部５及び演算部１３」を一体に設けてはいない点。
　
（相違点２）
　本願発明では，「半導体レーザモジュール（１１）」が「ガス吸収線に対応した各々異なる波長のレーザ光を前記各測定光として出射する複数の半導体レーザモジュール（１１）」であるとともに，「前記測定雰囲気に前記測定光を導くためのガイド光として可視光を出射する半導体レーザ（１２ｂ）が前記窓部の中心軸線上に位置して前記本体内に配置されるレーザポインタ（１２）と，
複数の前記測定光のうち，所定の測定光を反射させる反射ミラー（２１）を備えた合分波手段（１３）であり，前記所定の測定光と，複数の前記測定光のうちの前記所定の測定光以外の測定光とを略同軸上に合波するとともに，前記所定の測定光と前記可視光とを略同軸上に合波する合分波手段（１３）」をさらに備えているのに対し，引用文献１に記載された発明ではこれらの構成を備えていない点。
　
４−２．判断
　上記相違点について判断する。
　
　相違点１について。
　引用文献１に記載された発明は，ガス濃度測定装置であって，「光の吸収を利用して光学的にガス濃度を測定して例えば都市ガス，化学プラント等のガス漏洩を検出する」（【００１０】段落）ために用いられるものであり，出射したレーザ光の反射光に基づいて測定を行うものであるから，その使用にあっては，どの箇所の測定を行うかに応じてレーザ光をどこに出射するか調整する必要があり，そのような調整を有利に行うために，装置を一体化，小型化することは，当業者であれば通常想到しうる程度の事項である。
　この点は，引用文献１において，「光源ユニット２は，測定ガス特有の吸収線に合致した波長のレーザ光を発生するものであり，図２および図３に示すように，
金属パッケージからなる箱型形状のケース本体の内部に，半導体レーザモジュール２１Ａ（２１），参照ガスセル２２，
が収容されている
半導体レーザモジュール２１Ｄ（２１）は
半導体レーザ２４
参照ガスセル２２
　そして，引用文献２に記載された発明では，光学式ガス漏洩検知器において，携帯容易な構成とするために，レーザー発振モジュール５，レーザーポインター，及び受光部などが筐体１０に収められているように，装置を構成する各部材を筐体に一体化することで携帯容易とすることは，従来行われている。また，そのように装置を構成する各部材を筐体に一体化する際に，小型化などの一般的な課題に基づいて，光源を筐体内に配置したり，信号処理部を受光部の近くに配置したりすることは，当業者であれば通常行い得たものである。
　そうすると，引用文献１に記載された発明において，「光源ユニット２」及び「受信信号検出部５及び演算部１３」を「測定光集光部３」内に一体に設けることは，当業者であれば通常の創作能力の発揮の範囲内で為し得たものである。
　
　相違点２について。
　引用文献２に記載された発明では，「標的上に目視確認可能な像を形成させる」（【００１１】段落）ために，レーザーポインター用の緑色レーザー光を，ミラー６および波長選択ミラー７で反射させ，赤外レーザーと同一の光路を通って検査標的に合わせて出射させるとしている。
　また，被測定物質の吸収波長に対応した複数の異なる波長のレーザ光源から出射されるレーザ光を，同軸上に合波して出射することは，特開２００１−１３２５１１号公報（【００２４】−【００２６】，第１図），特開平６−１８４１１号公報（【００３１】−【００３５】，第１図）及び特開平３−２５３５２号公報（第３頁左上欄第４行目から右上欄第７行目，第１図）それぞれに記載されるように，周知の技術である。
　そして，上記相違点１について示したように，装置の一体化は当業者であれば適宜に為し得たものであり，引用文献１に記載された発明が，測定光集光部３のレンズ３１の中央からレーザ光を外部に出射するものであるから，そのように装置を一体化するとともに，測定ガス特有の吸収線に合致した波長のレーザ光として周知の複数の異なる波長のレーザ光を採用し，複数の異なる波長の半導体レーザからの光とレーザーポインター用のレーザ光をレンズ３１の中央において合波するようにミラー６および波長選択ミラー７を配置することは，当業者であれば容易に為し得たものである。その際，レーザーポインター用のレーザ光を発するレーザ光源と，測定用の半導体レーザのいずれを測定光集光部３の中心軸線上に配置するかは，どちらの配置が受光を邪魔しないかなどに応じて当業者であれば適宜に選択し得たものであり，レーザーポインター用のレーザ光を発するレーザ光源を測定光集光部３の中心軸線上に配置することは，測定用の半導体レーザに要求される波長管理のための構成を備えていないことなどから，当業者であれば適宜に為し得たものである。
　
４−３．請求人の主張について
　請求人は，平成２０年９月２９日付けの意見書において，（１）引用文献１の，半導体レーザモジュール２１Ｄの内部にガスセルを組み込むことは，気密封止したことを示すものであり，小型化を示すものではない，（２）引用文献２の装置は，本願発明の従来技術から抜け出したものではなく，計測部を１筐体にするという動機付けも示唆もない，と主張している。
　しかし，（１）の主張について，上記相違点１について示した通り，別体として構成されていた半導体レーザモジュールと参照ガスセルとが，半導体レーザモジュールの中に参照ガスセルを組み込むようにされることで，気密封止とともに，小型化が図れることは明らかである。また，（２）の主張についても，上記相違点１について示した通り，携帯容易とすることや，一般的な課題である小型化の要請に基づいて，計測部も１筐体とすることは，当業者であれば通常行い得たものである。
　してみると，請求人の主張は採用することができない。
　
４−４．まとめ 
　上記のとおり，本願発明は，引用文献１に記載された発明，引用文献２に記載された発明及び周知技術に基づいて，当業者が容易に発明をすることができたものである。 
　
５．むすび
　以上のとおり，本願発明は，引用文献１に記載された発明，引用文献２に記載された発明及び周知技術に基づいて，当業者が容易に発明をすることができたものであるから，特許法２９条２項の規定により特許を受けることができない。
　
　よって，結論のとおり審決する。